(57)【要約】【課題】クッションシートとしても使用できるクッションシート兼用保冷用バックを提供するものである。【解決手段】クッション性及び可撓性を有する断熱シート素材よりなる本体部材の外周部にファスナー部が形成され、前記本体部材は、その側部中央に留着されたスライダーによって前記ファスナー部を閉めたときは該側部中央部から二つ折りされてバックとして構成されるとともに、前記スライダーによって前記ファスナー部を全開したときは平板状に展開されてクッションシートとして構成されることを特徴とするクッションシート兼用保冷用バックである。本体部材の外周部に把手部を有したり、展開時における平板状クッションシートの大きさが、一辺が約４０〜５０ｃｍの平面矩形状の場合がある。【選択図】図２
0003110769.tif 000002
【実用新案登録請求の範囲】
【請求項１】
クッション性及び可撓性を有する断熱シート素材よりなる本体部材の外周部にファスナー部が形成され、前記本体部材は、その側部中央に留着されたスライダーによって前記ファスナー部を閉めたときは該側部中央部から二つ折りされてバックとして構成されるとともに、前記スライダーによって前記ファスナー部を全開したときは平板状に展開されてクッションシートとして構成されることを特徴とするクッションシート兼用保冷用バック。
【請求項２】
本体部材の外周部に把手部を有する請求項１に記載のクッションシート兼用保冷用バック。
【請求項３】
展開時における平板状クッションシートの大きさが、一辺が約４０〜５０ｃｍの平面矩形状である請求項１または２に記載のクッションシート兼用保冷用バック。
【考案の詳細な説明】
【技術分野】
【０００１】
本考案は、クッションシートとしても使用できるクッションシート兼用保冷用バックに関する。
【背景技術】
【０００２】
スポーツ観戦や行楽等に利用される保冷用バックは、従来、クーラーボックスと称される硬質又は軟質樹脂製のボックス型のものが一般的であり、重量が重く、かさばるために持ち運びが非常に不便であった。
【０００３】
上記の問題点を解消するために、例えば、柔軟性のあるシート材からなり、軽量で持ち運びが容易な保冷用バックが提案されている（実願平７―２６６６９号公報参照）。しかし、保冷用バックに入れた缶ジュースやペットボトルあるいは食料などを飲食してしまうと、保冷用バックの中身は空になり、保冷用バックは余分な荷物となってしまうことが多かった。
【０００４】
一方、スポーツ観戦や行楽地などでは、冷たくて硬い樹脂製の椅子にそのまま腰掛けたり、薄地のビニール性のレジャーシートを敷いて着座することが通常であり、長時間座っていると臀部や腰部が痛くなったり、足が痺れたりすることが多い。このような問題は、クッションを持参することでほとんど解消されるが、クッションはかさばるので持ち運びに大変不便であった。
【考案の開示】
【考案が解決しようとする課題】
【０００５】
従って、本考案は、前記の問題点を鑑みてなされたものであり、保冷バックの中身を出した後にクッションシートとしても使用でき、持ち運びに便利なクッションシート兼用保冷バックを提供するものである。
【課題を解決するための手段】
【０００６】
すなわち、請求項１の考案は、クッション性及び可撓性を有する断熱シート素材よりなる本体部材の外周部にファスナー部が形成され、前記本体部材は、その側部中央に留着されたスライダーによって前記ファスナー部を閉めたときは該側部中央部から二つ折りされてバックとして構成されるとともに、前記スライダーによって前記ファスナー部を全開したときは平板状に展開されてクッションシートとして構成されることを特徴とするクッションシート兼用保冷用バックに係る。
【０００７】
請求項２の考案は、本体部材の外周部に把手部を有する請求項１に記載のクッションシート兼用保冷用バックに係る。
【０００８】
請求項３の考案は、展開時における平板状クッションシートの大きさが、一辺が約４０〜５０ｃｍの平面矩形状である請求項１または２に記載のクッションシート兼用保冷用バックに係る。
【考案の効果】
【０００９】
請求項１の考案に係るクッションシート兼用保冷用バックは、クッション性及び可撓性を有する断熱シート素材よりなる本体部材の外周部にファスナー部が形成され、前記本体部材は、その側部中央に留着されたスライダーによって前記ファスナー部を閉めたときは該側部中央部から二つ折りされてバックとして構成されるので、行楽などに出かけるときには、缶ジュースやペットボトルなどの飲料やお弁当などの食料を入れて保冷用バックとして持ち歩くことができる。また、前記スライダーによって前記ファスナー部を全開したときは平板状に展開されてクッションシートとして構成されるので、クッションシート兼用保冷用バックに収納した物を出した後は、外周のファスナー部を全開にするだけで容易にクッションシートに変形することができ、保冷用バックとクッションシートを別々に持ち歩く必要がなくなる。
【００１０】
請求項２の考案は、請求項１に記載のクッションシート兼用保冷用バックにおいて、本体部材の外周部に把手部を有するので、保冷用バックの携帯性が向上する。
【００１１】
請求項３の考案は、請求項１または２に記載のクッションシート兼用保冷用バックにおいて、展開時における平板状クッションシートの大きさが、一辺が約４０〜５０ｃｍの平面矩形状であるので、クッションシートとして使用する場合には、座りやすい大きさであり、なおかつ保冷用バックとしても持ち歩きやすい大きさである。
【考案を実施するための最良の形態】
【００１２】
以下添付の図面に従って、この考案を詳細に説明する。図１はファスナー部を閉めたときのクッションシート兼用保冷用バックの斜視図、図２はファスナー部を全開して展開し、クッションシート兼用保冷用バックをクッションシートして使用するときの平面図である。
【００１３】
図１に示し請求項１に規定するように、クッション性及び可撓性を有する断熱シート素材よりなる本体部材１１の外周部１２には、ファスナー部が形成されている。本体部材１１に用いられる断熱シート素材としては、アルミニウムシートなどが挙げられ、クッション性を高めるために、軟質ウレタンなどを用いてもよい。本体部材１１の外観性を向上させるために、断熱シート素材の外装材として不織布、ナイロン、合成皮革、織物生地などを用いることもできる。
【００１４】
本体部材１１は、その側部１５中央に留着されたスライダー２１によって前記ファスナー部を閉めたときは該側部中央部１６から二つ折りされてクッションシート兼用保冷用バックとして構成される。クッションシート兼用保冷用バック１０ａの開閉は、ファスナー部２０に設けられたスライダー２１によって容易に行うことができる。ファスナー部の形状や、材質などは特に限られたものではないが、ファスナー部２０を全開してクッションシート１０ｂとしても使用する観点から、スライダー２１を２つ頭合わせ状に有するＷファスナーを用いることが好ましい。
【００１５】
さらに、請求項２に規定するように、本体部材１１の外周部１２には把手部１３を設けることが望ましい。把手部の長さや形状は特に限られず、把手部を長くして肩から掛けるショルダーバックとして使用することも可能である。
【００１６】
また、図２に示すように、前記スライダー２１によって前記ファスナー部２０を全開したときは平板状に展開されてクッションシート１０ｂとして構成される。図１において、スライダー２１ａは矢印ａの方向へ、またスライダー２１ｂは矢印ｂの方向へ移動させて、クッションシート兼用保冷用バック１０ａを全開すれば、容易に図２におけるクッションシート１０ｂへと変形できる。また、請求項３に規定するように、展開時における平板状クッションシート１０ｂの大きさは、クッションシートとしての座り易さ、保冷用バックとしての携帯性の観点から、一辺が約４０〜５０ｃｍの平面矩形状であることが好ましい。
【図面の簡単な説明】
【００１７】
【図１】ファスナー部を閉めたときのクッションシート兼用保冷用バックの斜視図である。
【図２】ファスナー部を全開して展開し、クッションシート兼用保冷用バックをクッションシートして使用するときの平面図である。
【符号の説明】
【００１８】
１０ａ  クッションシート兼用保冷用バック
１０ｂ  クッションシート
１１  本体部材
１２  外周部
１３  把手部
１５  側部
１６  中央部
２０  ファスナー部
２１、２１ａ、２１ｂ  スライダー
【図１】
0003110769.tif 000003
【図２】
0003110769.tif 000004